(57)【特許請求の範囲】
【請求項１】
戸体の戸先側縦枠から躯体壁面に至る状態でインターホンパネル等の玄関用部品を設けるためのエントランスパネルを取付けるにあたり、該エントランスパネルを設けるための取付け部材を、戸先側縦枠に固定される縦枠側固定部を備えて構成されたものとし、該縦枠側固定部は、該縦枠側固定部を戸先側縦枠に固定した場合に、戸先側縦枠の戸尻側見込み面よりも戸尻側に突出する突出部を有するものとし、該突出部の戸尻側端にエントランスパネルの戸尻側脚片を当接することで該戸尻側脚片と戸先側縦枠の戸尻側見込み面とのあいだの間隙の寸法取りができるように構成すると共に、取付け部材は、躯体に固定される躯体側固定部を有したものであり、該躯体側固定部の戸尻側端が戸先側縦枠の戸先側見付け面よりも屋内側に位置する低い段差部を備え、該段差部を、戸先側縦枠の戸先側見込み面に当接することで縦枠側固定部の戸先側縦枠に対する寸法取りができるようになっていることを特徴とする戸装置のエントランスパネルの取付け構造。
【請求項２】
躯体側固定部を躯体に取付けるためのビス孔は、ビス取付け位置を任意に選択できるよう長孔になっていることを特徴とする請求項１記載の戸装置のエントランスパネルの取付け構造。
【請求項３】
戸体の戸先側縦枠から躯体壁面に至る状態でインターホンパネル等の玄関用部品を設けるためのエントランスパネルを取付けるにあたり、該エントランスパネルを設けるための取付け部材を、戸先側縦枠に固定される縦枠側固定部を備えて構成されたものとし、該縦枠側固定部は、該縦枠側固定部を戸先側縦枠に固定した場合に、戸先側縦枠の戸尻側見込み面よりも戸尻側に突出する突出部を有するものとし、該突出部の戸尻側端にエントランスパネルの戸尻側脚片を当接することで該戸尻側脚片と戸先側縦枠の戸尻側見込み面とのあいだの間隙の寸法取りができるように構成すると共に、躯体側固定部は、躯体側固定部に設けた左右方向に長いビス孔を貫通するビスを介して躯体への取付けがなされるものであり、縦枠側固定部を戸先側縦枠に取付けるためのビス孔には、エントランスパネルを戸先側に強制移動することができる延長孔が形成されていることを特徴とする戸装置のエントランスパネルの取付け構造。
【請求項４】
延長孔周辺は、屋外側面が凹んだ肉薄状になっていて、ビスの締め付け強度を無効にできるか低減できるようになっていることを特徴とする請求項３記載の戸装置のエントランスパネルの取付け構造。
【請求項５】
延長孔は、ビス孔よりも孔幅が大きくなっていてビスの締め付け強度を無効にできるか低減できるようになっていることを特徴とする請求項３記載の戸装置のエントランスパネルの取付け構造。
【発明の詳細な説明】
【技術分野】
【０００１】
本発明は、玄関等の出入り口に設けられる戸装置のエントランスパネルの取付け構造および取付け方法の技術分野に関するものである。
【背景技術】
【０００２】
一般に、玄関等の出入り口に設けられる戸装置のなかには、戸体の戸先側縦枠から躯体壁面にまで至る状態で、インターホンパネルや照明、新聞受け等の玄関用部品を設けるためエントランスパネルが取付けられることがある。このようなエントランスパネルを取付ける場合、エントランスパネルの戸尻側脚片を、戸先側縦枠の戸尻側見込み面よりも戸尻側に位置するよう取付け、これにより戸体の戸先側端と戸先側縦枠の戸尻側見込み面とのあいだに錠前のラッチが屋外側から覗けるような隙間があったとして、この隙間をエントランスパネルの戸尻側部位で塞ぐ構造にして錠前のラッチが施錠状態であるか否かを屋外側からは覗けないように配慮している（例えば特許文献１参照）。
【先行技術文献】
【特許文献】
【０００３】
【特許文献１】特許第５４１２１８７号公報特開
【発明の概要】
【発明が解決しようとする課題】
【０００４】
ところがこのようにした場合、エントランスパネルの戸尻側脚片を、戸先側縦枠の戸尻側見込み面よりも戸尻側に突出させた取付け構造にする必要があるが、このような取付け構造を採用する場合に、戸体の戸先側端とのエントランスパネルの戸尻側脚片との隙間を計測しながらエントランスパネルを取付けなければならないため、取付けに手間がかかるという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、戸体の戸先側縦枠から躯体壁面に至る状態でインターホンパネル等の玄関用部品を設けるためのエントランスパネルを取付けるにあたり、該エントランスパネルを設けるための取付け部材を、戸先側縦枠に固定される縦枠側固定部を備えて構成されたものとし、該縦枠側固定部は、該縦枠側固定部を戸先側縦枠に固定した場合に、戸先側縦枠の戸尻側見込み面よりも戸尻側に突出する突出部を有するものとし、該突出部の戸尻側端にエントランスパネルの戸尻側脚片を当接することで該戸尻側脚片と戸先側縦枠の戸尻側見込み面とのあいだの間隙の寸法取りができるように構成すると共に、取付け部材は、躯体に固定される躯体側固定部を有したものであり、該躯体側固定部の戸尻側端が戸先側縦枠の戸先側見付け面よりも屋内側に位置する低い段差部を備え、該段差部を、戸先側縦枠の戸先側見込み面に当接することで縦枠側固定部の戸先側縦枠に対する寸法取りができるようになっていることを特徴とする戸装置のエントランスパネルの取付け構造である。
請求項２の発明は、躯体側固定部を躯体に取付けるためのビス孔は、ビス取付け位置を任意に選択できるよう長孔になっていることを特徴とする請求項１記載の戸装置のエントランスパネルの取付け構造である。
請求項３の発明は、戸体の戸先側縦枠から躯体壁面に至る状態でインターホンパネル等の玄関用部品を設けるためのエントランスパネルを取付けるにあたり、該エントランスパネルを設けるための取付け部材を、戸先側縦枠に固定される縦枠側固定部を備えて構成されたものとし、該縦枠側固定部は、該縦枠側固定部を戸先側縦枠に固定した場合に、戸先側縦枠の戸尻側見込み面よりも戸尻側に突出する突出部を有するものとし、該突出部の戸尻側端にエントランスパネルの戸尻側脚片を当接することで該戸尻側脚片と戸先側縦枠の戸尻側見込み面とのあいだの間隙の寸法取りができるように構成すると共に、躯体側固定部は、躯体側固定部に設けた左右方向に長いビス孔を貫通するビスを介して躯体への取付けがなされるものであり、縦枠側固定部を戸先側縦枠に取付けるためのビス孔には、エントランスパネルを戸先側に強制移動することができる延長孔が形成されていることを特徴とする戸装置のエントランスパネルの取付け構造である。
請求項４の発明は、延長孔周辺は、屋外側面が凹んだ肉薄状になっていて、ビスの締め付け強度を無効にできるか低減できるようになっていることを特徴とする請求項３記載の戸装置のエントランスパネルの取付け構造である。
請求項５の発明は、延長孔は、ビス孔よりも孔幅が大きくなっていてビスの締め付け強度を無効にできるか低減できるようになっていることを特徴とする請求項３記載の戸装置のエントランスパネルの取付け構造である。
【発明の効果】
【０００６】
これらの発明とすることにより、エントランスパネルの戸尻側脚片を、戸先側縦枠の戸尻側見込み面よりも戸尻側に突出させて錠前のラッチが屋外側から覗けないようにするエントランスパネルの取付けが、縦枠側固定部の戸尻側に突出する突出部の戸尻側端にエントランスパネルの戸尻側脚片に当接する状態で取付けることで戸尻側脚片と戸先側縦枠の戸尻側見込み面とのあいだの間隙の寸法取りができることになる結果、エントランスパネルを持ち上げ、その戸尻側脚片を突出部戸尻側端に当接して取付ければよいことになって作業性が向上する。
【図面の簡単な説明】
【０００７】
【図１】戸装置の正面図である。
【図２】戸装置の背面図である。
【図３】戸装置の第一取付け部材部位の横断面図である。
【図４】（Ａ）（Ｂ）は戸体の縦断面図、第一取付け部材部位の縦断面図である。
【図５】（Ａ）（Ｂ）（Ｃ）はエントランスパネルの正面図、背面図、躯体側に取付け部材を取付けた状態を示す正面図である。
【図６】（Ａ）（Ｂ）（Ｃ）は第一取付け部材部位の横断面図、正面図、縦断面図である。
【図７】（Ａ）（Ｂ）（Ｃ）は第一取付け部材の平面図、正面図、側面図である。
【図８】（Ａ）（Ｂ）は第一取付け部材の縦枠側固定部の正面図、側面図、（Ｃ）（Ｄ）は台座部の正面図、側面図である。
【図９】（Ａ）（Ｂ）（Ｃ）は躯体側固定部の正面図、底面図、側面図である。
【図１０】（Ａ）（Ｂ）（Ｃ）は照明用補強板取付け部位の横断面図、正面図、照明用取付け板の正面図である。
【図１１】（Ａ）（Ｂ）（Ｃ）（Ｄ）は室名札およびインターホンパネル取付け用の取付け部材の正面図、左側面図、右側面図、底面図である。
【図１２】室名札およびインターホンパネル取付け用の取付け部材の部品図であって、（Ａ）（Ｂ）は躯体側固定部の正面図、側面図、（Ｃ）（Ｄ）は縦枠側固定部の正面図、側面図、（Ｅ）（Ｆ）は台座部の正面図、側面図、（Ｇ）（Ｈ）は補助材の正面図、側面図である。
【図１３】（Ａ）（Ｂ）（Ｃ）は室名札取付け部位の横断面図、正面図、縦断面図である。
【図１４】（Ａ）（Ｂ）（Ｃ）はインターホンパネル取付け部位の正面図、縦断面図、下側部位の横断面図である。
【図１５】（Ａ）（Ｂ）（Ｃ）は新聞受け取付け部位の正面図、縦断面図、横断面図である。
【図１６】（Ａ）（Ｂ）（Ｃ）は他の実施の形態を示す取付け部材の要部正面図、移動前後の取付け部材の平面図である。
【図１７】（Ａ）（Ｂ）はそれぞれさらに他の実施の形態を示す取付け部材の要部正面図、（Ｃ）（Ｄ）はさらに他の実施の形態を示す取付け部材の要部正面図、横断面図、（Ｅ）はさらに他の実施の形態を示す取付け部材の要部正面図である。
【発明を実施するための形態】
【０００８】
以下、本発明の実施の形態について、図面に基づいて説明する。図面において、１は片開き式の戸体であって、該戸体１は、戸尻側端縁が戸枠２の戸尻側縦枠２ａに蝶番３を介して開閉自在に蝶着されている。尚、１ａは錠前、１ｂはドアノブ、１ｃはドアクローザーである。
尚、本実施の形態では、前後、左右方向の方向性について、便宜上、図３に示すように、戸体１が開放する方向であって、後述するエントランスパネル４の表面側を屋外側、裏面側を屋内側、蝶番３が設けられる側を戸尻側、エントランスパネル４が設けられる側を戸先側と定義するが、これに限定されるものでないことは言うまでもない。
一方、戸枠２の戸先側縦枠２ｂは、戸先側見付け面（第一見付け面）２ｃが躯体（下地材、外壁）Ｍに対して屋外側に突出していて戸尻側縦枠２ａの見付け面と略面一状になり、戸尻側見付け面（第二見付け面）２ｄは躯体Ｍの屋外側面と略面一状になっていて、両見付け面２ｃ、２ｄとのあいだは段差面（戸尻側見込み面）２ｅになっている。さらに戸先側見付け面２ｃの左右方向外端縁（戸先側端縁）は屋内側に折曲した戸先側見込み面２ｆとなっていて屋内側半部は躯体Ｍに埋設されている。
【０００９】
４は戸体１の戸先側端に対向する状態で戸枠２の戸先側縦枠２ｂと躯体Ｍの屋外側面に取付けられるエントランスパネルであって、該エントランスパネル４には、照明５、室名札６、インターホンパネル７、そして新聞受け８が上から下に順に設けられているが、これら部材の一部は、後述するように取付け部材を利用して取付けられている。因みに、本実施の形態のエントランスパネル４は、化粧板である表面材と補強板である裏板とで構成されている。
【００１０】
９はエントランスパネル４の上下端部を取付けるための取付け部材（第一取付け部材）であって、該第一取付け部材９は、戸先側縦枠２ｂに固定するための平板状の縦枠側固定部１０と、上下両端部が屋外側に向けて折曲されたコ字形をしていて躯体Ｍ側に固定するための躯体側固定部１１と、エントランスパネル４の背面に設けた面ファスナー１２に対応（接着）する面ファスナー１２ａと、上下両端縁部が屋内側に折曲されたコ字形をしていて前記面ファスナー１２ａを取付けるための台座部１３とを備えて構成されている。尚、戸尻側見付け面２ｄと戸尻側脚片４ａとは当接していても離間していてもよい。またエントランスパネル４の戸先側端部と躯体Ｍとのあいだの隙間にはスポンジ等からなるシール材４ｂが介装されていている。さらにエントランスパネル４の上端部は屋内側に向けた折曲片４ｃが形成され、折曲部４ｃを躯体側固定部１１の上端部１１ａに載せることでエントランスパネル４を仮止めした状態での取付けができるようになっている。
【００１１】
前記縦枠固定部１０は、戸尻側半部が台座部１３から戸尻側に突出する状態で該台座部１３の跨部１３ａの屋内側面に固着（溶着）される。台座部１３は、上側脚片１３ｂが躯体側固定部１１の上側脚片１１ａに下側から当てがわれる状態で該上側脚片１１ａに固着される一方、下側脚片１３ｃが躯体側固定部１１の跨部１１ｂに屋外側から当てがわれる状態で該跨部１１ｂに固着されている。そして台座部跨部１３ａの屋外側面に前記面ファスナー１２ａが取付けられている。
そして第一取付け部材９には、躯体側固定部跨部１１ｂに対し縦枠側固定部１０が屋外側に位置することで戸尻側に出張る状態で躯体側固定部１１の戸尻側端が段差部９ａとして形成されている。
【００１２】
一方、躯体側固定部１１は、前記縦枠側固定部１０を戸先側縦枠２ｂに取付けた状態で跨部１１ｂが躯体Ｍに対し屋外側に離間する寸法設定になっており、縦枠側固定部１０を戸先側見付け面２ｃに当接した状態で段差部９ａを戸先側見込み面２ｆに当接することで本実施の形態では寸法取りがなされる設定になっているが、隙間が開いていてもよい（後述する各取付け部材も同様である。）。そして縦枠側固定部１０に形成のビス孔１０ａからビス１０ｂを螺入することで縦枠側固定部１０の寸法取りがなされた戸先側縦枠２ｂへの固定ができるようになり、この固定状態で、縦枠側固定部１０の戸尻側部が段差面２ｅよりも戸尻側に突出していて突出部１０ｃを構成している。そこで跨部１１ｂに設けたアジャスタボルト１１ｃを調整して該アジャスタボルト１１ｃの室内側面を躯体Ｍに当接するようになっている。さらに躯体側固定部１１には戸尻側戸先側方向（左右方向）に長い長孔（ビス孔）１１ｄが形成されているが、躯体Ｍの壁面がタイル仕上げである場合に、長孔１１ｄから隣接するタイル間の目地を目指してビス１１ｅを螺入することで躯体側固定部１１の躯体Ｍへの取付けができるようになっている。因みに、躯体Ｍの表面がタイル仕上げでない場合には長孔１１ｄの任意の位置にビス１１ｅを螺入することで躯体側固定部１１の躯体Ｍへの取付けができる。
因みに、躯体Ｍの納まりとしては、前記タイル納まり（ＲＣ納まり）に限定されず、例えばＡＬＣ板を用いたＡＬＣ納まり、ボード板を用いたＬＧＳ納まり等があるが、これら板材を用いた納まりの場合、ＡＬＣ板やボード板を切欠くことができないため、これら板の屋外側面に鋼材からなる柱材を立てて所謂フカシ壁とし、ここにビス固定することになる。
【００１３】
１４は照明５をエントランスパネル４に取付けるための補強板であって、該補強板１４は、エントランスパネル４の裏面に固定されたものであり、補強板１４およびエントランスパネル４には配線（図示せず）を通すための配線用孔５ａと照明５をビス固定するためのビス孔５ｂが穿設されている。
【００１４】
１５は第二取付け部材であって、該第二取付け部材１５は室名札６、インターホンパネル７を取付けるための取付け部材を兼ねている。尚、エントランスパネル４には、室名札６、インターホンパネル７を取付けるための切欠き（開口部）Ｘ、Ｙが形成されている。この第二取付け部材１５は、戸先側縦枠２ｂに固定するための平板状の縦枠側固定部１６と、上下両端部が屋外側に向けて折曲されたコ字形をしていて躯体Ｍ側に固定するための躯体側固定部１７と、台座部１８とを備え、前記第一取付け部材９と同様に固着されているが、さらにこのものでは、補助材１９が設けられている。この補助材１９は、コ字形をした板材で、台座部１８に対して戸尻側に隣接する状態で躯体側固定部１７に固着されている。
そしてこの第二取付け部材１５は、第一取付け部材９と同様、躯体側固定部１７の戸尻側端が段差部１５ａとなり、また縦枠側固定部１６には、縦枠側固定部１０と同様にビス孔１６ａ、ビス１６ｂ、突出部１６ｃを有し、躯体側固定部１７には、躯体側固定部１１と同様に上側脚片１７ａ、跨部１７ｂ、アジャスタボルト１７ｃ、長孔１７ｄ、ビス１７ｆを備えている。
一方、エントランスパネル４の室名札６用の切欠きＸと、インターホンパネル７用の切欠きＹの上下端部との各戸先、戸尻側両端部にはスペーサ２１が屋内側面に設けられ、これら戸先、戸尻側スペーサ２１の屋内側面には、戸先、戸尻側スペーサ２１間を渡る状態で台板２１ａが設けられているが、この台板２１ａは、跨部１８ａに対向し、台板２１ａに設けたビス孔２１ｂからビス（図示せず）を螺入することで跨部１８ａに固定されるようになっている。
そして室名札６は、該室名札６の屋内側面に設けた板状の磁石（図示せず）が台板２１ａに磁着することでエントランスパネル４に取付けられるようになっている。
またインターホンパネル７は、上下の台板２１ａに設けた磁石（例えばネオジウム磁石）２０による磁着によってインターホンパネル７の強固な取付けができるようになっている。因みに、インターホンパネル７を取付けるための上側の台板２１ａには、該インターホンパネル７の位置決めをするため少なくとも二箇所の凹孔２１ｃが設けられている。
【００１５】
２２は第三取付け部材であって、該第三取付け部材２２は新聞受け８の受け本体８ａを取付けるための取付け部材を兼ねている。この第三取付け部材２２は、前記第二取付け部材１５と同様の部品、縦枠側固定部２３、躯体側固定部２４、台座部２５、補助板２６を備えて同様にして形成されるが、このものは、前記受け本体８ａがビス（図示せず）によって台座部２５の跨部２５ａに直接ビス固定されるため、該跨部２５ａがインターホンパネル４の裏面に当接する寸法設定になっている。そして第三取付け部材２２は、第一、第二取付け部材９、１５と同様、段差部２２ａ、ビス孔２３ａ、突出部２３ｃを有している。
新聞受け本体８ａの上方には、新聞が倒れないよう新聞を貫通支持する倒れ防止部８ｂが設けられるが、該倒れ防止部８ｂはエントランスパネル４の裏面に設けた補強材２７にビス固定されるようになっている。
尚、跨部２５ａおよび補強材２７には、前記ビス固定するためのビス孔２５ｂ、２７ａが穿設されており、またエントランスパネル４にもこれらビス孔２５ｂ、２７ａに対応したビス孔（図示せず）が穿設されている。
【００１６】
そしてエントランスパネル４は、前記各取付け部材９、１５、２２を戸先側縦枠２ｂ、躯体Ｍに固定した状態で組込まれることになるが、各取付け部材９、１５、２２の段差部９ａ、１５ａ、２２ａを戸先側見込み面２ｆに当接した状態で、突出部１０ｃ、１６ｃ、２３ｃの戸尻側端を戸尻側脚片４ａに当接することで各取付け部材９、１５、２２の寸法取りがなされ、この状態で縦枠側固定部１０、１６、２３に形成のビス孔１０ａ、１６ａ、２３ａからビス１０ｂ、１６ｂ、２３ｂを螺入することで縦枠側固定部１０、１６、２３の寸法取りがなされた戸先側縦枠２ｂへの固定ができるようになり、この固定状態で、縦枠側固定部１０、１６、２３の戸尻側部が段差面２ｅよりも戸尻側に同じように寸法取りされた状態で突出していて突出部１０ｃ、１６ｃ、２３ｃを構成している。そしてこの突出部１０ｃ、１６ｃ、２３ｃにエントランスパネル４の戸尻側脚片４ａを当接させることで該戸尻側脚片４ａの戸尻側見付け面２ｄに対して寸法取りがとれた組込みができるようになり、そしてエントランスパネル４の上下を面ファスナー１２、１２ａ同士を当接して止着させることてエントランスパネル４の寸法度がとれた組込みができるようになっている。
【００１７】
叙述の如く構成された本実施の形態において、戸体１の戸先側縦枠２ｂから躯体Ｍの壁面にまで至る状態でインターホンパネル７等の玄関用部品を設けるためのエントランスパネル４を取付けることになるが、この場合、エントランスパネル４を設けるための取付け部材９、１５、２２を、戸先側縦枠２ｂに固定される縦枠側固定部１０、１６、２３と、躯体Ｍに固定される躯体側固定部１１、１７、２４とを備えて構成されたものとし、縦枠側固定部１０、１６、２３は、該縦枠側固定部１０、１６、２３を戸先側縦枠２ｂに固定した場合に、戸先側縦枠２ｂの段差面２ｅよりも戸尻側に突出する突出部１０ｃ、１６ｃ、２３ｃを有するものとし、該突出部１０ｃ、１６ｃ、２３ｃの戸尻側端にエントランスパネル４の戸尻側脚片４ａを当接することで該戸尻側脚片４ａと戸先側縦枠２ｂの段差面２ｅとのあいだの間隙の寸法取りができることになる。
【００１８】
この結果、エントランスパネル４の戸尻側脚片４ａを、戸先側縦枠２ｂの段差面２ｅよりも戸尻側に突出させて錠前１ａのラッチが屋外側から覗けないようにするエントランスパネル４の取付けが、縦枠側固定部１０、１６、２３の戸尻側に突出する突出部１０ｃ、１６ｃ、２３ｃの戸尻側端にエントランスパネル４の戸尻側脚片４ａを当接する状態で取付けることで戸尻側脚片４ａと戸先側縦枠２ｂの戸尻側見込み面である段差面２ｅとのあいだの間隙の寸法取りができることになる結果、エントランスパネル４の取付けは、該エントランスパネル４を持ち上げ、その戸尻側脚片４ａを突出部１０ｃ、１６ｃ、２３ｃ戸尻側端に当接して取付ければよいことになって、一人作業でのエントランスパネルの簡単な取付けができ、作業性が向上する。
【００１９】
しかもこのものでは、取付け部材９、１５、２２は、躯体側固定部１１、１７、２４の戸尻側端が縦枠側固定部１０、１６、２３の見付け面よりも屋内側に設けられた段差部９ａ、１５ａ、２２ａを備えており、そして該段差部９ａ、１５ａ、２２ａを、戸先側縦枠２ｂの戸先側見込み面２ｆに当接することで縦枠側固定部１０、１６、２３の戸先側縦枠２ｂに対する寸法取りができるようになっているから、躯体側固定部１１、１７、２４の戸尻側の段差部９ａ、１５ａ、２２ａを戸先側縦枠２ｂの戸先側見込み面２ｆに当接することで縦枠側固定部１０、１６、２３の戸先側縦枠２ｂに対する寸法取りができることになって、取付け部材の組込みも容易になる。
【００２０】
そのうえこのものでは、躯体側固定部１１、１７、２４を躯体に取付けるためのビス孔１１ｄ、１７ｄ、２４ｄは、ビス取付け位置を任意に選択できるよう長孔になっているため、躯体側固定部のビス取付け位置を自由に選択できる結果、躯体Ｍ側壁面がタイル仕上げのような場合に、隣接タイル間の目地を利用しての取付けが確実にできることになる。尚、長孔の方向としては縦方向に長いものや十字方向のもの、さらには傾斜状としても実施することができる。
【００２１】
尚、本発明は前記実施の形態に限定されないものであることは勿論であって、エントランスパネル４の戸尻側脚片４ａの位置決めをするためには、少なくとも二つの取付け部材の突出部で位置決めをすればよく、その場合に、取付け部材が三つ以上ある場合、距離の離れた最上下位の二つの取付け部材によりエントランスパネルの位置決めをすることが好ましい。そしてこのように最上下位の二つの取付け部材によるエントランスパネルの位置決めとした場合、精度の良い位置決め取付けが簡単にできることになる。
【００２２】
また本発明を実施するにあたり、地震が発生した場合に、戸体１が戸先側に変形し、戸体１の戸先側端がエントランスパネル４の戸尻側脚片４ａに押圧状に当接した場合に、戸体１が開放できなくなって室内に人が閉じ込められる惧れがあり、その対策として次のようなものを実施することができる。
【００２３】
まず図１６に示す第二の実施の形態のように、取付け部材２８において、縦枠側固定部２９の突出部２９ａに形成されるビス孔２９ｂに、該ビス孔（ビス螺入）２９ｂ位置に対して戸尻側に長く延長した延長部２９ｃを形成しておき、地震による戸体１の変形で戸体１の戸先側端がエントランスパネル４の戸尻側脚片４ａに強く当接した場合、縦枠側固定部２９を戸先側縦枠２ｂに固定するためのビス２９ｄの螺入位置が延長部２９ｃに退避移動（相対移動）するようにしておけば、戸体１の開放が阻害されることがなく、人の閉じ込め防止をすることができる。この場合に、躯体側取付け部３０を躯体に取付けるためのビス孔３０ａは前記実施の形態のように左右方向に長い長孔３０ａとしておくことになる。そしてこの場合においても、取付け部材２８の段差部２８ａを戸先側見込み片２ｆに当接して位置決めをするようにしている。
そしてこのようにしたとき、誤って延長部２９ｃにビス２９ｄを螺入しないよう紙や樹脂材等の素材からなるシール材２９ｆを貼着する等して塞いでおくことができ（図１７（Ａ）参照）、この場合に、「←ビス」のような指示書きを入れておくことで間違いをなくすようにすることができる。さらには図１７（Ｂ）に示すように正規のビス孔２９ｂと延長部２９ｃとのあいだに、突起のような脆弱部２９ｇを設けておいてエントランスパネル４が移動したときにこの脆弱部２９ｇが簡単に破壊されてエントランスパネルの退避誘導をするようにしてもよい。脆弱部の他例としては架橋状にしたものであってもよい。
【００２４】
またこの場合に、エントランスパネルが退避移動したとしても、ビス２９ｄによる締め付け強度の変化がなく、戸体１の開放に力がいることが考えられ、そこで図１７（Ｃ）（Ｄ）に示す実施の形態のように、延長部２９ｃの屋外側面（ビス頭側）が凹んだ肉薄状にしておき、エントランスパネル４が戸先側に移動した場合に、この肉薄部２９ｈによりビス２９ｄによる締め付け強度を無効にできるか低減できるようにしておけば、異常時の戸体１の開放がより容易になるという利点がある。
このようにエントランスパネル４が移動した場合に、ビス２９ｄによる締め付け強度を無効にできるか低減できるように手段としては、図１７（Ｅ）に示す実施の形態のように延長部２９ｉの形状をビス２９ｄのビス頭よりも孔幅の大きものとしても実施することができる。
これらの実施の形態の場合、エントランスパネル４の不用意な移動を禁止するため、前記脆弱部２９ｇの存在は有意義なものとなる。
因みに、前述した実施の形態の中には、さらに次の三つの発明が記載されている。
第一の発明は、戸体の戸先側縦枠から躯体壁面に至る状態でインターホンパネル等の玄関用部品を設けるためのエントランスパネルを取付けるにあたり、該エントランスパネルを設けるための取付け部材を、戸先側縦枠に固定される縦枠側固定部を備えて構成されたものとし、該縦枠側固定部は、該縦枠側固定部を戸先側縦枠に固定した場合に、戸先側縦枠の戸尻側見込み面よりも戸尻側に突出する突出部を有するものとし、該突出部の戸尻側端にエントランスパネルの戸尻側脚片を当接することで該戸尻側脚片と戸先側縦枠の戸尻側見込み面とのあいだの間隙の寸法取りができるように構成すると共に、前記エントランスパネルは、該エントランスパネルの背面に設けた一片側の面ファスナーが取付け部材側に設けた他片側の面ファスナーに止着することで該取付け部材に取付けられるものであり、該取付け部材は、前記縦枠側固定部と躯体側に固定される躯体側固定部とを備え、躯体側固定部には、跨部の屋内側面に前記縦枠側固定部が固着され、屋外側面に他片側の面ファスナーが設けられた台座部の脚片が固着されていることを特徴とする戸装置のエントランスパネルの取付け構造である。
第二の発明は、戸体の戸先側縦枠から躯体壁面に至る状態でインターホンパネル等の玄関用部品を設けるためのエントランスパネルを取付けるにあたり、該エントランスパネルを設けるための取付け部材を、戸先側縦枠に固定される縦枠側固定部を備えて構成されたものとし、該縦枠側固定部は、該縦枠側固定部を戸先側縦枠に固定した場合に、戸先側縦枠の戸尻側見込み面よりも戸尻側に突出する突出部を有するものとし、該突出部の戸尻側端にエントランスパネルの戸尻側脚片を当接することで該戸尻側脚片と戸先側縦枠の戸尻側見込み面とのあいだの間隙の寸法取りができるように構成すると共に、最上端の取付け部材の躯体側固定部の上端部は、エントランスパネルの上端部に形成した折曲片を載せることで、エントランスパネルを仮止めするための仮止め手段となっていることを特徴とする戸装置のエントランスパネルの取付け構造である。
第三の発明は、戸体の戸先側縦枠から躯体壁面に至る状態でインターホンパネル等の玄関用部品を設けるためのエントランスパネルを取付けるにあたり、該エントランスパネルを設けるための取付け部材を、戸先側縦枠に固定される縦枠側固定部を備えて構成されたものとし、該縦枠側固定部を、戸先側縦枠の戸尻側見込み面よりも戸尻側に突出する突出部を有するようにして縦枠側固定部を戸先側縦枠に固定した後、該突出部の戸尻側端にエントランスパネルの戸尻側脚片を当接した状態で取付けることで該戸尻側脚片と戸先側縦枠の戸尻側見込み面とのあいだの間隙の寸法取りができる一方、最上端の取付け部材の躯体側固定部の上端部に、エントランスパネルの上端部に形成した折曲片を載せることでエントランスパネルの仮止めをした状態で、エントランスパネルの背面に設けた一片側の面ファスナーと取付け部材側に設けた他片側の面ファスナーとの止着による取付けができるようにしたことを特徴とする戸装置のエントランスパネルの取付け方法である。
【産業上の利用可能性】
【００２５】
本発明は、玄関ドア等に用いられる戸装置のエントランスパネルの取付け構造として利用することができる。
【符号の説明】
【００２６】
１  戸体
２ｂ  戸先側縦枠
２ｃ  戸先側見付け面
２ｅ  段差面（戸尻側見込み面）
２ｆ  戸先側見込み面
４  エントランスパネル
４ａ  戸尻側脚片
７  インターホンパネル
９  第一取付け部材
９ａ  段差部
１０  縦枠側固定部
１０ｃ  突出部
１１  躯体側固定部
１１ｄ  長孔（ビス孔）
１５  第二取付け部材
１５ａ  段差部
１６  縦枠側固定部
１６ｃ  突出部
１７  躯体側固定部
１７ｄ  長孔（ビス孔）
２２  第三取付け部材
２２ａ  段差部
２３  縦枠側固定部
２３ｃ  突出部
２４  躯体側固定部
２４ｄ  長孔（ビス孔）
２８  取付け部材
２９  縦枠側固定部
２９ｂ  ビス孔
２９ｃ  延長部（延長孔）
２９ｄ  ビス
２９ｈ  肉薄部
２９ｉ  延長部（延長孔）
３０  躯体側固定部
３０ａ  ビス孔（長孔）
Ｍ  躯体
【図１】
0006735087.tif 000002
【図２】
0006735087.tif 000003
【図３】
0006735087.tif 000004
【図４】
0006735087.tif 000005
【図５】
0006735087.tif 000006
【図６】
0006735087.tif 000007
【図７】
0006735087.tif 000008
【図８】
0006735087.tif 000009
【図９】
0006735087.tif 000010
【図１０】
0006735087.tif 000011
【図１１】
0006735087.tif 000012
【図１２】
0006735087.tif 000013
【図１３】
0006735087.tif 000014
【図１４】
0006735087.tif 000015
【図１５】
0006735087.tif 000016
【図１６】
0006735087.tif 000017
【図１７】
0006735087.tif 000018